(57)【要約】【課題】意匠性に優れ且つ配線作業及び照明器具自体の取付作業も容易な人体検知センサ内蔵の照明器具の提供を目的とする。【解決手段】ランプ等の光源４を取り付けるための基盤５と、該基盤５の内部に設置した人体検知用のマイクロ波センサ９と、該マイクロ波センサ９からの信号によりランプ等の光源４をＯＮ・ＯＦＦ制御する制御回路１２とで、人体検知センサ内蔵の照明器具１を構成する。人体検知センサ９が基盤５の内部に隠れて外部へ露出することがないので、外観上の見栄えがよい。また従来のように、センサのための開口を設ける必要がないので、デザイン上の設計も自由である。更に、人体検知のための電源を照明回路から入手することができ、配線作業を簡易且つ迅速に行える。【選択図】　図１
2004139864.tif 000002
【特許請求の範囲】
【請求項１】
ランプ等の光源を取り付けるための基盤と、該基盤の内部に設置した人体検知用のマイクロ波センサと、該マイクロ波センサからの信号によりランプ等の光源をＯＮ・ＯＦＦ制御する制御回路とからなる人体検知センサ内蔵の照明器具。
【請求項２】
光源よりも背面側にマイクロ波センサと制御回路とが組み込まれている請求項１に記載の人体検知センサ内蔵の照明器具。
【請求項３】
基盤の中央部にランプ等の光源の取付口が設けられており、該取付口の周囲にマイクロ波センサが配設されており、更にマイクロ波センサの外周側にグローブが装着されていることを特徴とする請求項１又は２に記載の人体検知装置。
【発明の詳細な説明】
【０００１】
【発明の属する技術分野】
本発明は、照明ランプ等の光源を取り付けるための基盤内に、人体検知用のマイクロ波センサを組み込み、外部からセンサが見えないように且つセンサ窓を不用として全体の意匠性を向上させた人体検知センサ内蔵の照明器具に関するものである。
【０００２】
【従来の技術】
現代の社会生活では、「省エネルギー」、「簡単・便利」、「安全・安心」といった社会目標がある。その一貫として、室内における人の動きを検知して照明のＯＮ・ＯＦＦ制御を行う人体検知センサ付きの照明器具が開発されている。
【０００３】
特許文献１に記載された照明器具にあっては、明るさ調整機能を有する照明手段と、人体の動きを検知し制御信号を出力する人体検知用センサと、この人体検知センサから出力された制御信号に基づいて前記照明手段の明るさを制御する制御手段とを有している。
例えば、就寝中の人がトイレに行く等のために起き上がると、人体検知センサが、その人体の動きによる温度変化に応答して制御信号を出力する。制御手段は、この制御信号に基づいて照明手段を１段階明るい方へ移行させている。そして、所定時間経過後に元の全消灯状態に移行させ、更にはトイレから戻って来たことを人体検知センサで検知し、ナツメ球を点灯させるようにしている。
【０００４】
また特許文献２に記載された照明器具にあっては、引っ掛けシーリングを介して天井へ照明器具を取り付けるものにおいて、引っ掛けシーリングに人体検知センサにより照明器具をＯＮ・ＯＦＦ制御するスイッチを設けている。従って、この特許文献２の技術では、引っ掛けシーリングが人体を検知したとき、照明器具をＯＮにし、検知しないときにはＯＦＦにすることで、省エネルギー化及び簡単・便利、安全・安心を実現している。
【０００５】
更に、特許文献３に記載された技術にあっては、光源としての蛍光灯及びその点灯回路部と、赤外線発光部と、反射してきた赤外線を受信してその信号を増幅する受光部とを乳白色のアクリル板からなる前面カバーで覆ったケース内へ収納している。乳白色のアクリル板には、赤外線が透過できるように長方形状の孔が穿設され、該孔に透明のアクリル板が取り付けられている。この長方形状の孔を通じて赤外線を投射し、使用者からのその反射光を受光することにより、蛍光灯をＯＮ・ＯＦＦ制御している。
【０００６】
更にまた、非特許文献１にあっては、前記特許文献３の場合と同じように、赤外線透過型グローブの中に人体検知センサを設置し、人体からの反射波を受光することにより、照明器具のＯＮ・ＯＦＦを制御するようにしている。この非特許文献１では、グローブの赤外線透過率を上げるべくグローブの材料の物性を新規に開発し、また人体検知センサの感度を向上させることにより、グローブに赤外線透過用の開口を設けなくても、グローブ内に設置した人体検知センサで人体を検知可能とし、照明器具のＯＮ・ＯＦＦ制御を行っている。
【０００７】
【特許文献１】
特開２００１−２５７０８号公報（［解決手段］、［００１６］、［００２７］と図１を参照）
【特許文献２】
登録実用新案第３０３３７６４号公報（［請求項１］、図１、図２を参照）
【特許文献３】
特許第２９６９９０１号公報（［請求項１］と図１、図４を参照）
【非特許文献１】
松下電工技報（Ａｕｇ．２００１）（第７４頁〜第７９頁を参照）
【０００８】
【発明が解決しようとする課題】
ところが、特許文献１〜３のものにあっては、人体検知センサが外部へ露出しているか又は人体検知センサのための赤外線透過用窓（開口）等が必要であり、外観上の見栄えが悪くなり、意匠性を損なうと共にデザイン上の制約があるという欠点があった。また人体検知センサの電源回路が照明用の電源とは別になっており、これらの配線が複雑になるという欠点があった。
【０００９】
一方、非特許文献１にあっては、グローブ内に人体検知センサを設置しているため、人体検知センサの影がグローブに映り、見栄えが悪くなると共に、影の分だけ光量が減るという欠点があった。また人体検知センサがグローブ内にあるため、人体検知センサに光源としての蛍光灯からの発熱に対する耐熱性が要求されるという欠点があった。更に、蛍光灯等の光源から出る赤外線が、人体検知時のノイズとなり、感度が低下するという欠点があった。
【００１０】
本発明は従来の前記課題に鑑みてこれを改良除去したものであって、意匠性に優れ且つ配線作業及び照明器具自体の取付作業も容易な人体検知センサ内蔵の照明器具を提供せんとするものである。
【００１１】
【課題を解決するための手段】
而して、前記課題を解決するために本発明が採用した請求項１の手段は、ランプ等の光源を取り付けるための基盤と、該基盤の内部に設置した人体検知用のマイクロ波センサと、該マイクロ波センサからの信号によりランプ等の光源をＯＮ・ＯＦＦ制御する制御回路とからなる人体検知センサ内蔵の照明器具である。
人体検知センサは基盤の内部に設置されており、外部へ露出することがないので、外観上の見栄えがよく、デザイン上の設計も自由である。またマイクロ波は、障害物を透過できるという利点があり、基盤内に装着しても人体検知は可能である。更には、人体検知のための電源を照明回路から入手することができ、配線作業を簡易且つ迅速に行える。
【００１２】
また本発明が採用した請求項２の手段は、光源よりも背面側にマイクロ波センサと制御回路とが組み込まれている請求項１に記載の人体検知センサ内蔵の照明器具である。
従って、人体検知センサの影がグローブに映ったりすることはなく、外観上の見栄えがよい。
【００１３】
更に、本発明が採用した請求項３の手段は、基盤の中央部にランプ等の光源の取付口が設けられており、該取付口の周囲にマイクロ波センサが配設されており、更にマイクロ波センサの外周側にグローブが装着されていることを特徴とする請求項１又は２に記載の人体検知装置である。
この発明によれば、基盤の無駄な空間を利用して人体検知のためのマイクロ波センサを配設しており、配線接続作業も便利である。
【００１４】
【発明の実施の形態】
以下に、本発明の構成を図面に示す発明の実施の形態に基づいて説明すると次の通りである。図面は、本発明の一実施の形態に係るものであり、図１は照明器具１の全体を示す縦断面図、図２は天井２へ照明器具１を取り付けた後、グローブ３と電球４を取り外して下方から見た図面である。同図に示す如く、この実施の形態の照明器具１は、有底三重筒構造の基盤５を有し、外側の筒体６の内周面側にグローブ３が螺子嵌合され、中心側の筒体７は電球４を取り付けるためのソケットとなっている。また中間の筒体８と中心側の筒体７との間は人体検知センサ９の装着用空間１０となっている。
【００１５】
人体検知センサ９は、マイクロ波センサであり、人体を検知するためのセンサ用ボックス部１１と電球４の点滅を制御するＯＮ・ＯＦＦの制御回路用ボックス部１２とが、前記装着用空間１０内に取り付けられている。制御回路用ボックス部１２は、電球４の点滅のための電源回路部１３から電源の供給を受けており、別途屋内配線等をする必要がないため、配線接続作業が容易である。人体検知センサ９の装着用空間１０の下端側（図１の下方側端部）には蓋部材１４が配設されており、基盤５を天井２へ取り付けるビス１５によって中間筒体８に固定されている。これにより、照明器具１の天井２への取り付けと、人体検知センサ９のボックス部の取り付けとを一つの作業で同時に行うことが可能である。なお、基盤５はスポンジ等の弾性体１６を介して天井２へ取り付けられている。基盤５を天井へ取り付けた後は、ソケット７へ電球４を装着し、外側の筒体６の内周面側にグローブ３を装着すればよい。
【００１６】
このように構成された照明器具１は、人体検知センサ９がマイクロ波センサであるため、天井や壁，ガラス等の障害物があっても又はトイレや浴室の外部からであってもこれらを透過して人体の検知が可能である。従って、基盤５内に装着された人体検知センサ９は、照明器具１の外部からは全く見えることはなく、グローブ７を通じてそのシルエットが映ることもないが、マイクロ波によって室内の人体を確実に検知することは可能である。また検知のための窓等を開口する必要もなく、外観上のデザインを自由に行うことも可能である。
更に、マイクロ波センサは、対象物までの距離や対象物の移動速度の計測が正確に行えるばかりでなく、対象物が接近しているのか又は離反しているのかの態勢や対象物の大きさ等をも検知できるので、室内にいる人体の検知精度に優れている。
【００１７】
室内に人がいない状態にあっては、省エネルギー化の観点から電球４は消灯している。この人体の非検知状態からマイクロ波センサ９が人体を検知したときは、電球４は点灯するように切り換えられる。マイクロ波センサ９は、発信したマイクロ波が室内の人体により、遮断又は減衰されることによってこれを検知することができる。この検知信号によってＯＮ・ＯＦＦの制御回路用ボックス部１２が電球４を点灯させるように切り換え動作をする。そして、人が退室してから所定時間経過後又は人を検知しない状態が所定時間継続した場合には、制御回路用ボックス部１２は電球４を再びＯＦＦとなるように切り換え動作をする。
【００１８】
ところで、本発明は上述した実施の形態に限定されるものではなく、例えば、照明器具１は電球４を用いたもの以外に、蛍光灯を用いたものであってもよく、またその形状や大きさ等も適宜の変更が可能である。
【００１９】
【発明の効果】
以上説明したように本発明にあっては、ランプ等の光源を取り付けるための基盤と、該基盤の内部に設置した人体検知用のマイクロ波センサと、該マイクロ波センサからの信号によりランプ等の光源をＯＮ・ＯＦＦ制御する制御回路とで、人体検知センサ内蔵の照明器具を構成したから、人体検知センサが基盤の内部に隠れて外部へ露出することがないので、外観上の見栄えがよい。また従来のように、センサのための開口を設ける必要がないので、デザイン上の設計も自由である。更に、マイクロ波は、障害物を透過できるという利点があり、基盤内に装着しても確実な人体検出が可能である。更にまた、人体検知のための電源を照明回路から入手することができ、配線作業を簡易且つ迅速に行える。それに加えて、センサの取り付けと、照明器具の取り付けとを同時に一体的に行うことが可能であり、施工作業が極めて容易である。
【００２０】
また本発明にあっては、光源よりも背面側にマイクロ波センサと制御回路とを組み込むようにしており、人体検知センサの影がグローブに映ったりすることはなく、外観上の見栄えがよい。
【図面の簡単な説明】
【図１】本発明の一実施の形態に係る照明器具の全体を示す縦断面図である。
【図２】本発明の一実施の形態に係るものであり、天井へ照明器具を取り付けた後、グローブと電球を取り外して下方から見た図面である。
【符号の説明】
１…照明器具、２…天井、３…グローブ、４…電球、５…基盤、６…外側の筒体、７…内側の筒体（電球ソケット）、８…中間の筒体、９…人体検知センサ、１０…装着空間、１１…センサ用ボックス部、１２…制御用ボックス部、１４…蓋部材、１５…ビス
【図１】
2004139864.tif 000003
【図２】
2004139864.tif 000004